(57)【要約】【課題】スロットへの巻き線の挿入によるブリッジの捩れを抑制する。【解決手段】スロット２４からはみ出すＵ相巻き線２５Ｕの第１コイルエンド２５１Ｕと、スロット２４からはみ出すＶ相巻き線２５Ｖの第１コイルエンド２５１Ｖとの間には、第１絶縁部３２が介在されている。スロット２４からはみ出すＵ相巻き線２５Ｕの第２コイルエンド２５２Ｕと、スロット２４からはみ出すＶ相巻き線の第２コイルエンド２５２Ｖとの間には、第２絶縁部３４が介在されている。第１絶縁部３２と第２絶縁部３４とは、ブリッジ３６によって結合されている。ブリッジ３６の他端部３６２は、スロット内の第１スロット内絶縁シート４０の折り返し部４０２に熱溶着されている。【選択図】図５
2009177912.tif 000002
【特許請求の範囲】
【請求項１】
回転電機における環状の固定子の内周に複数配列されたティース間のスロットに施された巻き線の巻き方は、波巻きであり、前記巻き線は、前記スロットの挿入端から挿入され、前記スロットを形成する内周壁面と前記巻き線との間にスロット内絶縁シートが介在されており、前記巻き線の第１コイルエンドの相間に環状の第１絶縁部が介在されており、前記巻き線の第２コイルエンドの相間に環状の第２絶縁部が介在されており、前記スロットに挿入されるブリッジの一方の端部が前記第１絶縁部に連ねられており、前記ブリッジの他方の端部が前記第２絶縁部に連ねられており、前記ブリッジは複数ある回転電機における相間絶縁構造において、
前記複数のブリッジのうちの少なくとも１つのブリッジに関し、前記巻き線を挿入する前記スロットの挿入端側とは反対側の反挿入端側にある前記１つのブリッジの端部が前記スロット内絶縁シートに止着されている回転電機における相間絶縁構造。
【請求項２】
前記第１絶縁部と前記第２絶縁部と前記ブリッジとは、一体形成されている請求項１に記載の回転電機における相間絶縁構造。
【請求項３】
前記反挿入端側にある前記ブリッジの端部は、熱溶着によって前記スロット内絶縁シートに止着されている請求項１及び請求項２のいずれか１項に記載の回転電機における相間絶縁構造。
【請求項４】
前記熱溶着は、超音波溶着である請求項３に記載の回転電機における相間絶縁構造。
【請求項５】
前記反挿入端側にある前記ブリッジの端部は、接着剤を用いて前記スロット内絶縁シートに止着されている請求項１及び請求項２のいずれか１項に記載の回転電機における相間絶縁構造。
【請求項６】
前記スロット内絶縁シートの両端部は、前記スロット外で折り返されており、前記反挿入端側にある前記ブリッジの端部は、前記スロット内絶縁シートの折り返された折り返し部に止着されている請求項１乃至請求項５のいずれか１項に記載の回転電機における相間絶縁構造。
【請求項７】
前記反挿入端側にある全てのブリッジの端部が前記スロット内絶縁シートに止着されている請求項１乃至請求項６のいずれか１項に記載の回転電機における相間絶縁構造。
【請求項８】
回転電機によって駆動される回転軸の回転に基づく圧縮動作体の圧縮動作によってガスを圧縮室内で圧縮して吐出し、前記ガスが前記回転電機のモータハウジング内を流通する電動圧縮機において、
請求項１乃至請求項７のいずれか１項に記載の相間絶縁構造を有する回転子を備えた回転電機が前記回転軸を回転させる回転電機として用いられている電動圧縮機。
【請求項９】
回転電機における環状の固定子の内周に複数配列されたティース間のスロットに施された巻き線の巻き方は、波巻きであり、前記巻き線は、前記スロットの挿入端から挿入され、前記スロットを形成する内周壁面と前記巻き線との間にスロット内絶縁シートが介在されており、前記スロット内絶縁シートは、前記スロット外で折り返された折り返し部を両端に有し、前記巻き線の第１コイルエンドの相間に介在される環状の第１絶縁部、前記巻き線の第２コイルエンドの相間に介在される環状の第２絶縁部、及び前記第１絶縁部と前記第２絶縁部とに連ねられたブリッジを備えた相間絶縁シートが一対あり、前記一対の相間絶縁シートのうちの第１相間絶縁シートが第１巻き線と第２巻き線との間に介在され、前記一対の相間絶縁シートのうちの第２相間絶縁シートが前記第２巻き線と第３巻き線との間に介在される回転電機における相間絶縁シートの組み付け方法において、
前記第１巻き線をスロットに挿入した後、前記第２巻き線を挿入するスロットに前記第１相間絶縁シートの複数のブリッジを挿入し、前記第１相間絶縁シートの複数のブリッジのうちの少なくとも１つのブリッジに関し、前記第２巻き線を挿入するスロットの挿入端側とは反対側の反挿入端側にある前記１つのブリッジの端部と前記折り返し部とを、超音波溶着ベースと超音波ホーンとの間に挟んで接合し、この接合状態で前記スロット内絶縁シートの前記１つのブリッジの端部と前記折り返し部とを超音波溶着し、
前記第２巻き線をスロットに挿入した後、前記第３巻き線を挿入するスロットに前記第２相間絶縁シートの複数のブリッジを挿入し、前記第２相間絶縁シートの複数のブリッジのうちの少なくとも１つのブリッジに関し、前記第３巻き線を挿入するスロットの挿入端側とは反対側の反挿入端側にある前記１つのブリッジの端部と前記折り返し部とを、超音波溶着ベースと超音波ホーンとの間に挟んで接合し、この接合状態で前記スロット内絶縁シートの前記１つのブリッジの端部と前記折り返し部とを超音波溶着する回転電機における相間絶縁シートの組み付け方法。
【発明の詳細な説明】
【技術分野】
【０００１】
本発明は、回転電機における相間絶縁構造、電動圧縮機及び回転電機における相間絶縁シートの組み付け方法に関する。
【背景技術】
【０００２】
巻き線のコイルエンドの相間に介在される相間絶縁シート（相間絶縁紙）としては、例えば特許文献１に開示のものがある。特許文献１に開示される相間絶縁シートは、コイルエンド部分の相間絶縁を行なう一対の環状の絶縁紙（絶縁部）と、固定子のスロットに挿入される結合片（ブリッジ）とから構成されている。
【特許文献１】特開昭５８−１１９７３９号公報
【特許文献２】特開２００５−８０３５６号公報
【発明の開示】
【発明が解決しようとする課題】
【０００３】
固定子に波巻きされる巻き線は、例えば特許文献２に開示されるようなインサータを用いてスロットに挿入される。巻き線がスロットに挿入されてゆくにつれて結合片をスロットの内周壁面の周方向へ捩れさせる力が生じてしまうことがある。しかし、スロットの挿入端側にある結合片の端部は、スロットに挿入されてゆく巻き線によってスロットの内周壁面に押さえ付けられるため、スロットの挿入端側にある結合片の端部が該内周壁面の周方向へ移動することはない。結合片の幅は、スロット内での巻き線の占積率を高めるために可及的に細くされるため、結合片は捩れやすい。そのため、巻き線がスロットに挿入されてゆくと、スロットの反挿入端側にある結合片の端部がスロットの内周壁面の周方向へ移動してゆくように結合片が捩られてゆくことがある。
【０００４】
このような捩れが結合片に生じると、結合片がスロットの開口部からはみ出したり、結合片が切れてしまったりすることがある。結合片がスロットの開口部からはみ出すと、環状の固定子の内側で回転する回転子に結合片のはみ出し部が接触するという不都合が生じるおそれがある。結合片が切れると、切断した結合片が回転子に接触したり、結合片の一部が切断分離した場合にはこの分離した破断片が異物となる。圧縮機には、回転電機によって駆動される回転軸の回転に基づく圧縮動作体の圧縮動作によって圧縮室内の冷媒を圧縮して吐出する電動圧縮機があるが、回転電機のモータハウジング内を冷媒が流通するタイプの電動圧縮機では、前記異物が圧縮機の圧縮性能を低下させるおそれがある。
【０００５】
本発明は、スロットへの巻き線の挿入によるブリッジの捩れを抑制することを目的とする。
【課題を解決するための手段】
【０００６】
請求項１乃至請求項７の発明は、回転電機における環状の固定子の内周に複数配列されたティース間のスロットに施された巻き線の巻き方は、波巻きであり、前記巻き線は、前記スロットの挿入端から挿入され、前記スロットを形成する内周壁面と前記巻き線との間にスロット内絶縁シートが介在されており、前記巻き線の第１コイルエンドの相間に環状の第１絶縁部が介在されており、前記巻き線の第２コイルエンドの相間に環状の第２絶縁部が介在されており、前記スロットに挿入されるブリッジの一方の端部が前記第１絶縁部に連ねられており、前記ブリッジの他方の端部が前記第２絶縁部に連ねられており、前記ブリッジは複数ある回転電機における相間絶縁構造を対象とし、請求項１の発明では、前記複数のブリッジのうちの少なくとも１つのブリッジに関し、前記巻き線を挿入する前記スロットの挿入端側とは反対側の反挿入端側にある前記１つのブリッジの端部が前記スロット内絶縁シートに止着されている。
【０００７】
反挿入端側にあるブリッジの端部がスロット内絶縁シートに止着されているため、ブリッジは、スロットへの巻き線の挿入による捩れ力を受けても捩れ難い。絶縁部が環状であるため、全ブリッジのうちの一部のみが捩れ難くしてあれば、他のブリッジも捩れ難くなる。
【０００８】
好適な例では、前記第１絶縁部と前記第２絶縁部と前記ブリッジとは、一体形成されている。
第１絶縁部と第２絶縁部とブリッジとを一体形成した構成は、相間絶縁シート全体の厚みを小さくしてスロット内における巻き線の占積率を高める上で好適であるが、厚みの小さいブリッジは捩れ易くなる。このようなブリッジは、本発明の適用対象として特に好適である。
【０００９】
好適な例では、前記反挿入端側にある前記ブリッジの端部は、熱溶着によって前記スロット内絶縁シートに止着されている。
熱溶着は、ブリッジをスロット内絶縁シートに止着する手段として簡便である。
【００１０】
好適な例では、前記熱溶着は、超音波溶着である。
好適な例では、前記反挿入端側にある前記ブリッジの端部は、接着剤を用いて前記スロット内絶縁シートに止着されている。
【００１１】
好適な例では、前記スロット内絶縁シートの両端部は、前記スロット外で折り返されており、前記反挿入端側にある前記ブリッジの端部は、前記スロット内絶縁シートの折り返された折り返し部に止着されている。
【００１２】
スロット内絶縁シートの折り返し部は、ブリッジの止着場所として特に好適である。
好適な例では、前記反挿入端側にある全てのブリッジの端部が前記スロット内絶縁シートに止着されている。
【００１３】
全てのブリッジの端部をスロット内絶縁シートに止着した構成は、全てのブリッジを捩れ難くする上で好ましい。
請求項８の発明は、回転電機によって駆動される回転軸の回転に基づく圧縮動作体の圧縮動作によって圧縮室内のガスを圧縮して吐出する電動圧縮機において、前記回転軸を回転させる回転電機として請求項１乃至請求項７のいずれか１項に記載の相間絶縁構造を有する回転電機を用いた。
【００１４】
電動圧縮機では、騒音及び振動を低減したい上に、体格を小さくしたいという要求が厳しい。巻き線が波巻きである本発明の回転電機は、これらの要求に好適である。又、ブリッジの捩れによる破断が防止されるため、ブリッジの破断片によって電動圧縮機の性能が低下するという事態は生じない。
【００１５】
請求項９の発明は、回転電機における環状の固定子の内周に複数配列されたティース間のスロットに施された巻き線の巻き方は、波巻きであり、前記巻き線は、前記スロットの挿入端から挿入され、前記スロットを形成する内周壁面と前記巻き線との間にスロット内絶縁シートが介在されており、前記スロット内絶縁シートは、前記スロット外で折り返された折り返し部を両端に有し、前記巻き線の第１コイルエンドの相間に介在される環状の第１絶縁部、前記巻き線の第２コイルエンドの相間に介在される環状の第２絶縁部、及び前記第１絶縁部と前記第２絶縁部とに連ねられたブリッジを備えた相間絶縁シートが一対あり、前記一対の相間絶縁シートのうちの第１相間絶縁シートが第１巻き線と第２巻き線との間に介在され、前記一対の相間絶縁シートのうちの第２相間絶縁シートが前記第２巻き線と第３巻き線との間に介在される回転電機における相間絶縁シートの組み付け方法において、前記第１巻き線をスロットに挿入した後、前記第２巻き線を挿入するスロットに前記第１相間絶縁シートの複数のブリッジを挿入し、前記第１相間絶縁シートの複数のブリッジのうちの少なくとも１つのブリッジに関し、前記第１巻き線を挿入するスロットの挿入端側とは反対側の反挿入端側にある前記１つのブリッジの端部と前記折り返し部とを、超音波溶着ベースと超音波ホーンとの間に挟んで接合し、この接合状態で前記スロット内絶縁シートの前記１つのブリッジの端部と前記折り返し部とを超音波溶着し、前記第１巻き線をスロットに挿入した後、前記第３巻き線を挿入するスロットに前記第２相間絶縁シートの複数のブリッジを挿入し、前記第２相間絶縁シートの複数のブリッジのうちの少なくとも１つのブリッジに関し、前記第３巻き線を挿入するスロットの挿入端側とは反対側の反挿入端側にある前記１つのブリッジの端部と前記折り返し部とを、超音波溶着ベースと超音波ホーンとの間に挟んで接合し、この接合状態で前記スロット内絶縁シートの前記１つのブリッジの端部と前記折り返し部とを超音波溶着する。
【００１６】
ブリッジの端部とスロット内絶縁シートの折り返し部とをスロット外で挟み込んで超音波溶着する方法は、スロット内絶縁シートにブリッジの端部を止着する上で簡便である。
【発明の効果】
【００１７】
本発明は、スロットへの巻き線の挿入によるブリッジの捩れを抑制することができるという優れた効果を奏する。
【発明を実施するための最良の形態】
【００１８】
以下、本発明を電動圧縮機に具体化した第１の実施形態を図１〜図８に基づいて説明する。
図１（ａ）に示す電動圧縮機１０は、スクロール型電動圧縮機である。回転電機Ｍを構成する回転子１１は、回転軸１２に止着されており、回転電機Ｍを構成する固定子１３は、モータハウジング１４の内周面に嵌合して固定されている。電動圧縮機１０を構成する圧縮動作体としての可動スクロール１５は、回転電機Ｍを構成する回転軸１２の回転によって旋回し、可動スクロール１５と固定スクロール１６との間の圧縮室１７が容積減少する。
【００１９】
モータハウジング１４の端壁３０には導入ポート３０１が設けられている。導入ポート３０１は、図示しない外部冷媒回路に接続されており、外部冷媒回路から冷媒（ガス）が導入ポート３０１を介してモータハウジング１４内へ導入される。モータハウジング１４内へ導入された冷媒は、可動スクロール１５の旋回（吸入動作）によって、モータハウジング１４の内周面と固定子１３の外周面との間の通路１４１〔図２（ａ）及び図３（ａ）に図示〕及び吸入ポート１８を経由して圧縮室１７へ吸入される。圧縮室１７内の冷媒は、可動スクロール１５の旋回（吐出動作）によって、圧縮され、吐出ポート１９から吐出弁２０を押し退けて吐出室２１へ吐出される。吐出室２１内の冷媒は、外部冷媒回路へ流出してモータハウジング１４内へ還流する。
【００２０】
図２（ａ）及び図３（ａ）に示すように、回転電機Ｍを構成する固定子１３は、環状のステータコア２２と、ステータコア２２の内周に複数配列されたティース２３間のスロット２４Ｕ，２４Ｖ，２４Ｗに施された巻き線２５とからなる。本実施形態では、ティース２３及びスロット２４Ｕ，２４Ｖ，２４Ｗの個数は、１８個である。スロット２４Ｕ，２４Ｖ，２４Ｗは、環状の固定子１３の周方向に等ピッチで配列されている。以下においては、スロット２４Ｕ，２４Ｖ，２４Ｗを単にスロット２４〔図１（ａ）参照〕と記すこともある。
【００２１】
図１（ａ）に示すように、ステータコア２２は、磁性体（鋼板）製の複数枚のコア板２６を積層して構成されている。回転電機Ｍを構成する回転子１１は、ロータコア２７と、ロータコア２７内に埋設された複数の永久磁石２８とからなる。ロータコア２７は、磁性体（鋼板）製の複数枚のコア板２９を積層して構成されている。ロータコア２７の中心部には軸孔２７１が貫設されており、軸孔２７１には回転軸１２が通されて固定されている。
【００２２】
図２（ｂ）に示すように、スロット２４Ｖを形成する内周壁面３１と、スロット２４Ｖ内の巻き線２５Ｖとの間には合成樹脂製の第１スロット内絶縁シート４０が介在されている。第１スロット内絶縁シート４０は、内周壁面３１に沿ってＵ字形状に湾曲している。又、第１スロット内絶縁シート４０と巻き線２５Ｖとの間には合成樹脂製の第２スロット内絶縁シート４１がスロット２４Ｖの開口部２４１にて巻き線２５Ｖを被覆するように介在されている。
【００２３】
図３（ｂ）に示すように、スロット２４Ｗを形成する内周壁面３１と、スロット２４Ｗ内の巻き線２５Ｗとの間には合成樹脂製の第１スロット内絶縁シート４０が介在されている。又、第１スロット内絶縁シート４０と巻き線２５Ｗとの間には合成樹脂製の第２スロット内絶縁シート４１がスロット２４Ｗの開口部２４１にて巻き線２５Ｗを被覆するように介在されている。
【００２４】
図２（ａ）及び図３（ａ）に示すように、他のスロット２４Ｕ内にも同様の第１スロット内絶縁シート４０及び第２スロット内絶縁シート４１が設けられている。スロット２４Ｕ，２４Ｖ，２４Ｗ内の巻き線２５は、第１スロット内絶縁シート４０及び第２スロット内絶縁シート４１によってスロット２４Ｕ，２４Ｖ，２４Ｗの内周壁面３１から隔てられている。
【００２５】
図４に示すように、第１スロット内絶縁シート４０の一方の端部４０１は、ステータコア２２の一方の端面２２１側へ折り返されており、他方の端部４０２は、ステータコア２２の他方の端面２２２側へ折り返されている。端部４０１の先端は、端面２２１に当接しており、端部４０２の先端は、端面２２２に当接している。以下においては、スロット２４外にある第１スロット内絶縁シート４０の端部４０１，４０２を折り返し部４０１，４０２と記す。折り返し部４０１，４０２は、Ｕ字形状に湾曲している。折り返し部４０１，４０２は、スロット２４Ｕ，２４Ｖ，２４Ｗ内からの第１スロット内絶縁シート４０の離脱を阻止する。なお、図４では、巻き線の図示を省略している。
【００２６】
図６は、固定子１３のフロント側〔図１（ａ）において左側をフロント側、右側をリヤ側としている〕を見た模式図である。スロット２４Ｕ，２４Ｖ，２４Ｗに施された巻き線２５は、波巻きで巻かれている。
【００２７】
第１巻き線としての巻き線２５Ｕ（以下においてはＵ相巻き線２５Ｕと記す）は、スロット２４Ｕの群に通されている。第２巻き線としての巻き線２５Ｖ（以下においてはＶ相巻き線２５Ｖと記す）は、スロット２４Ｖの群に通されており、第３巻き線としての巻き線２５Ｗ（以下においてはＷ相巻き線２５Ｗと記す）は、スロット２４Ｗの群に通されている。各相巻き線２５Ｕ，２５Ｖ，２５Ｗの実線部分は、固定子１３の手前（フロント側）のステータコア２２の端面に配線された部分であり、各相巻き線２５Ｕ，２５Ｖ，２５Ｗの破線部分は、固定子１３の向こう側（リヤ側）のステータコア２２の端面に配線された部分である。各相巻き線２５Ｕ，２５Ｖ，２５Ｗの実線部分と破線部分との繋ぎ部分は、スロット２４Ｕ，２４Ｖ，２４Ｗ内を通っている部分である。
【００２８】
固定子１３のフロント側においてスロット２４Ｕからはみ出すＵ相巻き線２５Ｕの第１コイルエンド２５１Ｕと、固定子１３のフロント側においてスロット２４Ｖからはみ出すＶ相巻き線２５Ｖの第１コイルエンド２５１Ｖとの間には、第１絶縁部３２が回転子１１の周りを一周するように介在されている。固定子１３のフロント側においてスロット２４Ｖからはみ出すＶ相巻き線２５Ｖの第１コイルエンド２５１Ｖと、固定子１３のフロント側においてスロット２４Ｗからはみ出すＷ相巻き線２５Ｗの第１コイルエンド２５１Ｗとの間には、第１絶縁部３３が回転子１１の周りを一周するように介在されている。環状の第１絶縁部３２及び環状の第１絶縁部３３は、いずれも合成樹脂製であって、帯形状に形成されている。帯形状の第１絶縁部３２及び第１絶縁部３３の両端部は、接合されて熱溶着されている。
【００２９】
図７は、固定子１３のリヤ側を見た模式図である。各相巻き線２５Ｕ，２５Ｖ，２５Ｗの実線部分は、固定子１３のリヤ側のステータコア２２の端面に配線された部分であり、各相巻き線２５Ｕ，２５Ｖ，２５Ｗの破線部分は、固定子１３のフロント側のステータコア２２の端面に配線された部分である。
【００３０】
固定子１３のリヤ側においてスロット２４Ｕからはみ出すＵ相巻き線２５Ｕの第２コイルエンド２５２Ｕと、固定子１３のリヤ側においてスロット２４Ｖからはみ出すＶ相巻き線２５Ｖの第２コイルエンド２５２Ｖとの間には、第２絶縁部３４が回転子１１の周りを一周するように介在されている。固定子１３のリヤ側においてスロット２４Ｖからはみ出すＶ相巻き線２５Ｖの第２コイルエンド２５２Ｖと、固定子１３のリヤ側においてスロット２４Ｗからはみ出すＷ相巻き線２５Ｗの第２コイルエンド２５２Ｗとの間には、第２絶縁部３５が回転子１１の周りを一周するように介在されている。環状の第２絶縁部３４は、環状の第２絶縁部３５よりも外周側にあり、内周側の第２絶縁部３５は、外周側の第２絶縁部３４によって包囲されている。第２絶縁部３４及び第２絶縁部３５は、いずれも合成樹脂製であって、帯形状に形成されている。帯形状の第２絶縁部３４及び第２絶縁部３５の両端部は、接合されて熱溶着されている。
【００３１】
図１（ｂ）に示すように、第１絶縁部３２と第２絶縁部３４とは、複数のブリッジ３６〔本実施形態では６つ〕によって結合されている。第１絶縁部３２と第２絶縁部３４と複数のブリッジ３６とは、一体形成されている。図２（ａ）及び図３（ａ）に示すように、ブリッジ３６は、Ｖ相巻き線２５Ｖを挿入するスロット２４Ｖに挿入されている。第１絶縁部３２、第２絶縁部３４及びブリッジ３６は、巻き線２５のコイルエンドの相間を絶縁する第１相間絶縁シート３７を構成する。
【００３２】
図１（ｃ）に示すように、第１絶縁部３３と第２絶縁部３５とは、複数のブリッジ３８〔本実施形態では６つ〕によって結合されている。第１絶縁部３３と第２絶縁部３５と複数のブリッジ３８とは、一体形成されている。図２（ａ）及び図３（ａ）に示すように、ブリッジ３８は、Ｗ相巻き線２５Ｗを挿入するスロット２４Ｗに挿入されている。第１絶縁部３３、第２絶縁部３５及びブリッジ３８は、巻き線２５のコイルエンドの相間を絶縁する第２相間絶縁シート３９を構成する。
【００３３】
図４に示すＳ１は、第１相間絶縁シート３７のブリッジ３６の他端部３６２と、スロット２４Ｖにある第１スロット内絶縁シート４０の折り返し部４０２とを熱溶着した領域を示す。Ｓ２は、第２相間絶縁シート３９のブリッジ３８の他端部３８２と、スロット２４Ｗにある第１スロット内絶縁シート４０の折り返し部４０２とを熱溶着した領域を示す。第１相間絶縁シート３７のブリッジ３６の一端部３６１及び第２相間絶縁シート３９のブリッジ３８の一端部３８１では、熱溶着は成されていない。
【００３４】
図５（ａ），（ｂ）は、ブリッジ３６，３８と折り返し部４０２とを熱溶着する装置を示す。４２は、鉄系の超音波溶着ベースを示し、４３は、超音波装置を構成する超音波ホーンを示す。
【００３５】
図８（ａ），（ｂ）は、図示しないインサータを用いて巻き線（図示の例ではＵ相巻き線２５Ｕ）をスロットに挿入する状態を示す。本実施形態では、図８（ａ）に示すように、Ｕ相巻き線２５Ｕは、スロット２４Ｕの一端２４２〔以下においては挿入端２４２と記す〕から挿入される。図８（ｂ）は、Ｕ相巻き線２５Ｕをスロット２４Ｕに挿入した状態を示す。
【００３６】
Ｕ相巻き線２５Ｕがスロット２４Ｕに挿入された後、第１相間絶縁シート３７のブリッジ３６がスロット２４Ｖに挿入され、次に、Ｖ相巻き線が前記インサータを用いて挿入端２４２側からスロット２４Ｖに挿入される。Ｖ相巻き線がスロット２４Ｖに挿入された後、第２相間絶縁シート３９のブリッジ３８がスロット２４Ｗに挿入され、次に、Ｗ相巻き線が前記インサータを用いて挿入端２４２側からスロット２４Ｗに挿入される。
【００３７】
ブリッジ３６，３８と折り返し部４０２との熱溶着は、以下のように行われる。
Ｕ相巻き線２５Ｕがスロット２４Ｕに挿入された後、Ｖ相巻き線２５Ｖを挿入するスロット２４Ｖに第１相間絶縁シート３７のブリッジ３６が挿入される。全てのブリッジ３６がスロット２４Ｖに挿入された後、Ｖ相巻き線２５Ｖを挿入するスロット２４Ｖの挿入端２４２〔図８（ａ）に図示〕側とは反対側の反挿入端２４３側にあるブリッジ３６の他端部３６２と折り返し部４０２とが超音波溶着ベース４２と超音波ホーン４３との間に挟んで接合される。図５（ａ）に鎖線で示す超音波溶着ベース４２及び超音波ホーン４３は、ブリッジ３６の他端部３６２と折り返し部４０２とを挟む前の位置にあり、図５（ａ）に実線で示す超音波溶着ベース４２及び超音波ホーン４３は、ブリッジ３６の他端部３６２と折り返し部４０２とを挟んだ位置にある。
【００３８】
次に、超音波装置が作動され、他端部３６２と折り返し部４０２との接合領域のうち、超音波ホーン４３の押接面４３１に対応する領域が超音波によって熱溶着される。
全てのブリッジ３６の他端部３６２と折り返し部４０２との熱溶着が遂行された後、Ｖ相巻き線２５Ｖがスロット２４Ｖに挿入される。Ｖ相巻き線２５Ｖがスロット２４Ｖに挿入された後、Ｗ相巻き線２５Ｗを挿入するスロット２４Ｗに第２相間絶縁シート３９のブリッジ３８が挿入される。全てのブリッジ３８がスロット２４Ｗに挿入された後、Ｗ相巻き線２５Ｗを挿入するスロット２４Ｗの挿入端２４２側とは反対側の反挿入端２４３〔図８（ｂ）にも図示〕側にあるブリッジ３８の他端部３８２と折り返し部４０２とが超音波溶着ベース４２と超音波ホーン４３との間に挟んで接合される。図５（ｂ）に鎖線で示す超音波溶着ベース４２及び超音波ホーン４３は、ブリッジ３８の他端部３８２と折り返し部４０２とを挟む前の位置にあり、図５（ｂ）に実線で示す超音波溶着ベース４２及び超音波ホーン４３は、ブリッジ３８の他端部３８２と折り返し部４０２とを挟んだ位置にある。
【００３９】
次に、超音波装置が作動され、他端部３８２と折り返し部４０２との接合領域のうち、超音波ホーン４３の押接面４３１に対応する領域が超音波によって熱溶着される。
第１の実施形態では以下の効果が得られる。
【００４０】
（１）Ｖ相巻き線２５Ｖが挿入される挿入端２４２側では、ブリッジ３６の一端部３６１が挿入されてゆくＶ相巻き線２５Ｖによって第１スロット内絶縁シート４０に押さえ付けられるため、ブリッジ３６の一端部３６１側がスロット２４の周方向へ移動することはない。又、反挿入端２４３側にあるブリッジ３６の他端部３６２が折り返し部４０２に熱溶着されており、第１スロット内絶縁シート４０の断面形状は、スロット２４の内周壁面３１に接合するように湾曲したＵ字形状である。そのため、第１スロット内絶縁シート４０がスロット２４内で内周壁面３１の周方向に回動することはなく、このような第１スロット内絶縁シート４０に熱溶着されているブリッジ３６の他端部３６２が内周壁面３１の周方向に移動することはない。つまり、ブリッジ３６は、スロット２４への巻き線の挿入による捩れ力を受けても捩れ難い。
【００４１】
（２）第１相間絶縁シート３７は、第１絶縁部３２と第２絶縁部３４とブリッジ３６とを一体形成して構成されており、第２相間絶縁シート３９は、第１絶縁部３３と第２絶縁部３５とブリッジ３８とを一体形成して構成されている。このような構成は、相間絶縁シート３７，３９全体の厚みを小さくしてスロット２４内における巻き線の占積率を高める上で好適であるが、厚みの小さいブリッジ３６，３８が第１スロット内絶縁シート４０からフリーであるとすると、ブリッジ３６，３８は捩れ易くなる。一体形成される第１相間絶縁シート３７及び第２相間絶縁シート３９のブリッジ３６，３８は、本発明の適用対象として特に好適である。
【００４２】
（３）超音波による熱溶着は、ブリッジ３６，３８を第１スロット内絶縁シート４０に止着する手段として簡便である。
（４）スロット２４の外部にある折り返し部４０２とブリッジ３６，３８の他端部３６２，３８２とを超音波溶着ベース４２と超音波ホーン４３との間に挟んでスロット内絶縁シート４０，４１にブリッジ３６，３８を止着する方法は、簡便である。従って、折り返し部４０２は、ブリッジ３６，３８の止着場所として特に好適である。
【００４３】
（５）第１相間絶縁シート３７の全てのブリッジ３６（本実施形態では６つ）の一部のみが捩れ難い場合に比べ、全てのブリッジ３６が個々に単独で捩れ難くなっている場合の方がブリッジ３６の捩れ抑制の上で有利である。第１相間絶縁シート３７の全てのブリッジ３６の他端部３６２を第１スロット内絶縁シート４０に止着した構成は、全てのブリッジ３６を捩れ難くする上で好ましい。第２相間絶縁シート３９についても、同様のことが言える。
【００４４】
（６）低脈動（低振動）に優れた波巻きの回転電機Ｍは、電動圧縮機１０への適用に好適である。つまり、電動圧縮機１０では、騒音及び振動を低減したい上に、体格を小さくしたいという要求が厳しいが、波巻きの回転電機Ｍは、これらの要求に好適である。波巻きの回転電機Ｍを用いた電動圧縮機１０は、前記の要求が特に厳しい車載用の電動圧縮機として特に好適である。
【００４５】
（７）ブリッジ３６，３８から破断片が分離すると、この破断片がモータハウジング１４内を流通する冷媒と共に圧縮室１７内に入り込んだりして電動圧縮機１０の圧縮性能を低下させるおそれがある。あるいは、ブリッジ３６，３８の捩れによってブリッジ３６，３８がスロット２４の開口部２４１から飛び出すと、ブリッジ３６，３８がロータコア２７の周面に接触するおそれがある。ブリッジ３６，３８がロータコア２７の周面に接触すると、回転電機Ｍの回転性能が低下するおそれがある。
【００４６】
ブリッジ３６，３８の捩れが防止されるため、ブリッジ３６，３８の捩れによるブリッジ３６，３８の破断あるいは開口部２４１からの飛び出しはない。従って、電動圧縮機１０の圧縮性能や回転電機Ｍの回転性能が低下するという事態は生じない。
【００４７】
次に、図９、図１０及び図１１に示す各実施形態を説明する。第１の実施形態と同じ構成部には同じ符合を用い、その詳細説明は省略する。なお、図９、図１０及び図１１では、巻き線の図示を省略している。
【００４８】
図９の第２の実施形態では、ブリッジ３６，３８の他端部３６２，３８２が折り返し部４０２に熱溶着されている上に、ブリッジ３６，３８の一端部３６１，３８１も折り返し部４０１に熱溶着されている。Ｓ３は、第１相間絶縁シート３７のブリッジ３６の一端部３６１と、スロット２４Ｖにある第１スロット内絶縁シート４０の折り返し部４０１とを熱溶着した領域を示す。Ｓ４は、第２相間絶縁シート３９のブリッジ３８の一端部３８１と、スロット２４Ｗにある第１スロット内絶縁シート４０の折り返し部４０１とを熱溶着した領域を示す。
【００４９】
ブリッジ３６，３８の一端部３６１，３８１及び他端部３６２，３８２を折り返し部４０１，４０２に熱溶着した構成は、ブリッジ３６，３８の捩れ抑制効果を一層高める。
図１０の第３の実施形態では、ブリッジ３６，３８の他端部３６２，３８２が折り返し部４０２に接着剤４６によって接着されている。第３の実施形態では、第１の実施形態における（１），（２），（５）〜（７）項と同様の項かが得られる.
図１１の第４の実施形態では、図１１（ａ）に示すように、第１相間絶縁シート３７Ａは、第１絶縁部３２と第２絶縁部３４とを別体の複数のブリッジ３６Ａ〔本実施形態では６つ〕によって結合して構成されている。本実施形態では、ブリッジ３６Ａの一端部３６１は、環状の第１絶縁部３２の外面３２０側に配置されており、ブリッジ３６の他端部３６２は、環状の第２絶縁部３４の内面３４０側に配置されている。第１絶縁部３２の外面３２０は、環状の第１絶縁部３２の環外側の周面（外周面）のことであり、第２絶縁部３４の内面３４０は、環状の第２絶縁部３４の環内側の周面（内周面）のことである。
【００５０】
図１１（ｂ）に示す相間絶縁シート３９Ａは、相間絶縁シート３７Ａの構成と同じであるので、以下においては相間絶縁シート３７Ａについてのみ説明する。
第２絶縁部３４に対向する第１絶縁部３２の第１対向端３２１には複数の第１結合用補助片４４（本実施形態では６つ）が第２絶縁部３４に向けて延出するように一体形成されている。第１絶縁部３２に対向する第２絶縁部３４の第２対向端３４１には複数の第２結合用補助片４５（本実施形態では６つ）が第１絶縁部３２に向けて延出するように一体形成されている。
【００５１】
ブリッジ３６Ａの一端部３６１は、第１絶縁部３２の一部である第１結合用補助片４４の外面４４１（つまり、第１絶縁部３２の外面３２０の一部）に接着剤４７によって仮接着されている。ブリッジ３６Ａの他端部３６２は、第２絶縁部３４の一部である第２結合用補助片４５の内面４５１（つまり、第２絶縁部３４の内面３４０の一部）に接着剤４８によって仮接着されている。
【００５２】
Ｓ５は、ブリッジ３６Ａの他端部３６２と第２結合用補助片４５との接合部における熱溶着領域を示し、Ｓ６は、ブリッジ３６Ａの一端部３６１と第１結合用補助片４４との接合部における熱溶着領域を示す。Ｓ７は、ブリッジ３８Ａの他端部３８２と第２結合用補助片４５との接合部における熱溶着領域を示し、Ｓ８は、ブリッジ３８Ａの一端部３８１と第１結合用補助片４４との接合部における熱溶着領域を示す。
【００５３】
Ｖ相巻き線２５Ｖをスロット２４Ｖに挿入しているときには、Ｖ相巻き線２５Ｖが相間絶縁シート３７の第１結合用補助片４４を擦過してゆく。スロット２４Ｖの挿入端２４２側にあるブリッジ３６Ａの一端部３６１の端縁３６３は、第１結合用補助片４４の外面４４１側にあるため、Ｖ相巻き線２５Ｖをスロット２４Ｖに挿入したときにブリッジ３６Ａの端縁３６３がＶ相巻き線２５Ｖに引っ掛かることはない。
【００５４】
Ｖ相巻き線２５Ｖをスロット２４Ｖに挿入しているときには、Ｖ相巻き線２５Ｖがブリッジ３６の他端部３６２を擦過してゆく。挿入端２４２側とは反対側にある第２結合用補助片４５の先端４５２は、ブリッジ３６の他端部３６２の外面３６４側にあるため、Ｖ相巻き線２５Ｖをスロット２４Ｖに挿入したときに第２結合用補助片４５の先端４５２がＶ相巻き線２５Ｖに引っ掛かることはない。
【００５５】
その結果、Ｖ相巻き線２５Ｖの絶縁被膜が傷つくことはない。同様に、Ｗ相巻き線２５Ｗの挿入においてもＷ相巻き線２５Ｗの絶縁被膜が傷つくことはない。
第４の実施形態では、第２の実施形態と同様の効果が得られる。又、ブリッジ３６Ａの一端部３６１と第１絶縁部３２とが超音波による熱溶着によって確実に結合され、ブリッジ３６Ａの他端部３６２と第２絶縁部３４とが超音波による熱溶着によって確実に結合される。ブリッジ３８についても同様のことが言える。
【００５６】
本発明では以下のような実施形態も可能である。
○超音波ホーンをスロット２４内に挿入し、ブリッジ３６，３８をスロット２４の内周壁面３１に押し付けるようにスロット２４内で超音波ホーンをブリッジ３６，３８に押し当て、この状態で超音波装置を作動するようにしてもよい。この場合、ステータコア２２が超音波溶着ベースとなる。
【００５７】
○第３の実施形態において、接着剤の代わりに、接着用両面テープを用いてもよい。
○スロット２４内のブリッジ３６，３８全体を溶着、接着等によって第１スロット内絶縁シート４０に止着するようにしてもよい。
【００５８】
○超音波溶着以外の熱溶着手段によって第１スロット内絶縁シート４０とブリッジとを熱溶着してもよい。
○スクロール型圧縮機以外の電動圧縮機（例えばピストン式圧縮機）に本発明を適用してもよい。ピストンは、圧縮動作体である。
【００５９】
○第１〜第４の実施形態では、第１巻き線がＵ相巻き線，第２巻き線がＶ相巻き線，第３巻き線がＷ相巻き線として説明したが、上記以外の相の巻き線であってもよい。
【図面の簡単な説明】
【００６０】
【図１】第１の実施形態を示し、（ａ）は、電動圧縮機の全体側断面図。（ｂ），（ｃ）は、相間絶縁シートの斜視図。
【図２】（ａ）は、図１（ａ）のＡ−Ａ線断面図。（ｂ）は、部分拡大断面図。
【図３】（ａ）は、図１（ａ）のＢ−Ｂ線断面図。（ｂ）は、部分拡大断面図。
【図４】一部省略側断面図。
【図５】（ａ），（ｂ）は、超音波溶着を説明するための一部省略側断面図。
【図６】波巻きを説明するための模式図。
【図７】波巻きを説明するための模式図。
【図８】（ａ），（ｂ）は、スロットに巻き線を挿入する方法を説明するための斜視図。
【図９】第２の実施形態を示す一部省略側断面図。
【図１０】第３の実施形態を示す一部省略側断面図。
【図１１】第４の実施形態を示し、（ａ）は、相間絶縁シートの斜視図。（ｂ）は、一部省略側断面図。
【符号の説明】
【００６１】
１０…電動圧縮機。１２…回転軸。１３…固定子。１４…モータハウジング。１５…圧縮動作体としての可動スクロール。１７…圧縮室。２３…ティース。２４，２４Ｕ，２４Ｖ，２４Ｗ…スロット。２４２…挿入端。２４３…反挿入端。２５…巻き線。２５Ｕ…第１巻き線としてのＵ相巻き線。２５Ｖ…第２巻き線としてのＶ相巻き線。２５Ｗ…第３巻き線としてのＷ相巻き線。２５１Ｕ，２５１Ｖ，２５１Ｗ…第１コイルエンド。２５２Ｕ，２５２Ｖ，２５２Ｗ…第２コイルエンド。３１…内周壁面。３２，３３…第１絶縁部。３４，３５…第２絶縁部。３６，３６Ａ，３８，３８Ａ…ブリッジ。３６１，３８１…挿入端側にある一端部。３６２，３８２…反挿入端側にある他端部。３７，３７Ａ…第１相間絶縁シート。３９，３９Ａ…第２相間絶縁シート。４０…第１スロット内絶縁シート。４０１，４０２…折り返し部。４２…超音波溶着ベース。４３…超音波ホーン。４４…接着剤。Ｍ…回転電機。
【図１】
2009177912.tif 000003
【図２】
2009177912.tif 000004
【図３】
2009177912.tif 000005
【図４】
2009177912.tif 000006
【図５】
2009177912.tif 000007
【図６】
2009177912.tif 000008
【図７】
2009177912.tif 000009
【図８】
2009177912.tif 000010
【図９】
2009177912.tif 000011
【図１０】
2009177912.tif 000012
【図１１】
2009177912.tif 000013